(57)【特許請求の範囲】
【請求項１】
人の存否を検知する人感センサ部、外部へワイヤレス信号を送信する送信部、人感センサ部の検知信号に基づいて送信部からワイヤレス信号にて送信信号を送信させるリモコン制御部、及び各部に動作電源を供給する内部電源からなるセンサ付き送信器と、外部よりワイヤレス信号にて送信された送信信号を受信する受信部、及び受信部を介して入力された送信信号に基づいて照明負荷の点灯状態を制御する器具制御部からなる照明器具とを備え、リモコン制御部および器具制御部の動作モードとして、照明負荷を連続的に全点灯させる連続点灯モードと、送信信号が入力されると照明負荷を一定時間点灯させるセンサモードとが設けられ、リモコン制御部では、所定のタイミングで器具制御部の動作モードをリモコン制御部の動作モードに一致させるための信号を送信部から送信させ、この信号を受信部が受信すると、器具制御部は動作モードを切り替えてリモコン制御部の動作モードに一致させることを特徴とする照明制御装置。
【請求項２】
上記所定のタイミングとは予め設定された時刻であり、センサ付き送信器に時刻を計時する計時手段を設け、計時手段の計時が予め設定された時刻になると、センサ付き送信器が照明器具へモードを一致させる信号を送信することを特徴とする請求項１記載の照明制御装置。
【請求項３】
上記所定のタイミングとは周囲の照度が予め設定された照度になった時点であり、センサ付き送信器に周囲の照度を検知する照度センサ部を設け、照度センサ部の検知した照度が設定された照度になると、センサ付き送信器が照明器具へモードを一致させる信号を送信することを特徴とする請求項１記載の照明制御装置。
【請求項４】
上記所定のタイミングとは予め設定された時刻及び周囲の照度が予め設定された照度になった時点であり、センサ付き送信器に時刻を計時する計時手段と周囲の照度を検知する照度センサ部とを設け、計時手段の計時が予め設定された時刻になり、且つ、照度センサ部の検知した照度が予め設定された照度になると、センサ付き送信器が照明器具へモードを一致させる信号を送信することを特徴とする請求項１記載の照明制御装置。
【請求項５】
上記所定のタイミングとは内部電源投入時であり、内部電源が投入されると、センサ付き送信器が照明器具へモードを一致させる信号を送信することを特徴とする請求項１記載の照明制御装置。
【請求項６】
上記所定のタイミングとは内部電源の寿命末期時であり、内部電源が寿命末期になると、センサ付き送信器が照明器具へモードを一致させる信号を送信することを特徴とする請求項１記載の照明制御装置。
【発明の詳細な説明】
【０００１】
【発明の属する技術分野】
本発明は、人の存否を検知する人感センサの出力に基づいて照明負荷の点灯状態を制御する照明制御装置に関するものである。
【０００２】
【従来の技術】
従来より、送信器から赤外線光などの光信号よりなるワイヤレス信号で送信信号を送信し、照明器具がこの送信信号を受信して照明負荷の点灯状態を制御する照明制御装置が提案されており、送信器の送信信号と照明負荷の点灯状態との複数の組み合わせ方（以下、モードという）が送信器及び照明器具に設定されていた。
【０００３】
また、送信器に人の存否を検知する人感センサを設け、人感センサが人を検知すると、送信器が照明器具へ送信信号を送信し、照明器具がこの送信信号を受けて照明負荷を点灯させるものがあった。この場合、人感センサを備えた送信器を複数台設置することにより、複数台の送信器で１台の照明負荷を制御することもできる。
【０００４】
【発明が解決しようとする課題】
上述した前者の照明制御装置では、送信器及び照明器具が、例えば照明負荷を連続的に点灯させるモード（以下、連続点灯モードという）で共に動作している状態で、送信器の電池が消耗した場合、この送信器の電池を交換すると、電池交換後の送信器のモードが連続点灯モード以外のモードとなり、送信器のモードと照明器具のモードとが一致しなくなるという問題があった。そのため、照明器具は照明負荷を点灯し続けるため、照明負荷を消灯させるためには、照明器具への電源供給を遮断するか、又は、送信器の電池を交換した後に、送信器でオフ操作を行う必要があった。
【０００５】
また、後者の照明制御装置では、例えば２台の送信器と照明器具とが、人感センサのセンサ出力に応じて照明負荷を点灯させるモード（以下、センサモードという）で共に動作している状態で、ユーザが一方の送信器を操作して、この送信器のモードを連続点灯モードに変更すると、この送信器から照明器具に送信信号が送られ、照明器具は照明負荷を連続的に点灯させる。この時、一方の送信器と照明器具のモードはセンサモードから連続点灯モードに切り替わるが、他方の送信器のモードはセンサモードのままなので、２台の送信器のモードが一致しなくなる。したがって、一方の送信器のモードを連続点灯モードに切り替えた人が、一方の送信器のモードをセンサモードに戻す操作を行わない限り、２台の送信器のモード、即ち、他方の送信器のモードと照明器具のモードとが一致していない状態を継続するという問題があった。
【０００６】
また、あるユーザが送信器及び照明器具のモードを連続点灯モードに設定し、照明器具が点灯しっぱなしになった場合、別のユーザがこの照明器具の近くを通ったとしても、別のユーザは照明器具がセンサモードで動作し、自分を検知して照明器具が点灯しているものと思い、照明器具のモードをセンサモードに戻す操作を行わないため、照明器具がいつまでも点灯しっぱなしになるという問題もあった。
【０００７】
このような問題を解決するために、照明器具のモードを把握するために、送信器に受信機能を設けるとともに、照明器具に送信機能を設け、照明器具と送信器との間や送信器間での通信を可能とし、両者のモードを一致させることも考えられるが、コストアップとなるため現実的ではなかった。
本発明は上記問題点に鑑みて為されたものであり、その目的とするところは送信器と照明器具のモードを一致させて使い勝手の良い照明制御装置を提供することにある。
【０００８】
【課題を解決するための手段】
請求項１の発明では、上記目的を達成するために、人の存否を検知する人感センサ部、外部へワイヤレス信号を送信する送信部、人感センサ部の検知信号に基づいて送信部からワイヤレス信号にて送信信号を送信させるリモコン制御部、及び各部に動作電源を供給する内部電源からなるセンサ付き送信器と、外部よりワイヤレス信号にて送信された送信信号を受信する受信部、及び受信部を介して入力された送信信号に基づいて照明負荷の点灯状態を制御する器具制御部からなる照明器具とを備え、リモコン制御部および器具制御部の動作モードとして、照明負荷を連続的に全点灯させる連続点灯モードと、送信信号が入力されると照明負荷を一定時間点灯させるセンサモードとが設けられ、リモコン制御部では、所定のタイミングで器具制御部の動作モードをリモコン制御部の動作モードに一致させるための信号を送信部から送信させ、この信号を受信部が受信すると、器具制御部は動作モードを切り替えてリモコン制御部の動作モードに一致させることを特徴とする。
【０００９】
請求項２の発明では、請求項１の発明において、上記所定のタイミングとは予め設定された時刻であり、センサ付き送信器に時刻を計時する計時手段を設け、計時手段の計時が予め設定された時刻になると、センサ付き送信器が照明器具へモードを一致させる信号を送信することを特徴とする。
請求項３の発明では、請求項１の発明において、上記所定のタイミングとは周囲の照度が予め設定された照度になった時点であり、センサ付き送信器に周囲の照度を検知する照度センサ部を設け、照度センサ部の検知した照度が設定された照度になると、センサ付き送信器が照明器具へモードを一致させる信号を送信することを特徴とする。
【００１０】
請求項４の発明では、請求項１の発明において、上記所定のタイミングとは予め設定された時刻及び周囲の照度が予め設定された照度になった時点であり、センサ付き送信器に時刻を計時する計時手段と周囲の照度を検知する照度センサ部とを設け、計時手段の計時が予め設定された時刻になり、且つ、照度センサ部の検知した照度が予め設定された照度になると、センサ付き送信器が照明器具へモードを一致させる信号を送信することを特徴とする。
【００１１】
請求項５の発明では、請求項１の発明において、上記所定のタイミングとは内部電源投入時であり、内部電源が投入されると、センサ付き送信器が照明器具へモードを一致させる信号を送信することを特徴とする。
請求項６の発明では、請求項１の発明において、上記所定のタイミングとは内部電源の寿命末期時であり、内部電源が寿命末期になると、センサ付き送信器が照明器具へモードを一致させる信号を送信することを特徴とする。
【００１５】
【発明の実施の形態】
本発明の実施の形態を図面を参照して説明する。
（実施形態１）
本実施形態の照明制御装置のブロック図を図１に示す。この照明制御装置は照明器具１とセンサ付き送信器２とから構成される。
【００１６】
照明器具１は、外部から赤外線光などの光信号よりなるワイヤレス信号で送信された送信信号を受信する受信部１１と、周囲の照度に応じた信号を出力する例えばＣｄＳセルなどからなる照度センサ１４及び照度センサ１４の検知信号を増幅して照度レベル信号を出力する増幅部１５から構成される照度センサ部１３と、受信部１１が受信した送信信号及び照度センサ部１３の照度レベル信号と設定されたモードとに応じて照明負荷１９の点灯状態を制御する負荷制御信号を出力する例えばマイクロコンピュータからなる器具制御部１２と、器具制御部１２の負荷制御信号に基づいて照明負荷１９を点灯させる負荷制御部１８とから構成される。
【００１７】
一方、センサ付き送信器２は、人の動きよって生じる赤外線の変化量を検出する赤外線センサ２２及び赤外線センサ２２の検出信号を信号処理して人体検知信号を出力する信号処理部２３からなる人感センサ部２１と、人感センサ部２１の人体検知信号に基づいて照明負荷１９の点灯状態を制御する信号を発生する例えばマイクロコンピュータからなるリモコン制御部２４と、リモコン制御部２４の出力をワイヤレス信号で照明器具１に送信する送信部２６とから構成される。また、信号処理部２３は、赤外線センサ２１が検出した赤外線の変化量を増幅する増幅部２３ａと、増幅部２３ａによって増幅された赤外線の変化量を所定の基準値と比較する比較部２３ｂとから構成され、信号処理部２３は、比較部２３ｂの比較結果を人体検知信号としてリモコン制御部２４に出力する。
【００１８】
ここで、人感センサ部２１が人を検知して人体検知信号を出力すると、リモコン制御部２４は人感センサ部２１の人体検知信号に基づいて送信信号を発生し、送信部２６がリモコン制御部２４の送信信号を照明器具１へ送信する。照明器具１では、受信部１１が送信部２６から送信された送信信号を受信し、器具制御部１２が、予め設定されたモードにより、受信部１１を介して入力された送信信号と照度センサ部１３の照度レベル信号とに基づいて負荷制御信号を出力する。この時、照度センサ部１３の照度レベル信号が所定のしきい値よりも暗い場合のみ、器具制御部１２は所定のモードにより送信信号に基づいて負荷制御信号を発生し、照明負荷１９の点灯状態を制御する。一方、照度センサ部１３の照度レベル信号が所定のしきい値よりも明るい場合は、器具制御部１２が送信信号と無関係に照明負荷１９を消灯させる。ここで、器具制御部１２及びリモコン制御部２４には、それぞれ、照明負荷１９を適切な照明量で点灯できるように複数のモードが予め設定されている。
【００１９】
また、照明器具１の器具制御部１２には時刻を計時する時計１６と時間をカウントするタイマ１７とが設けられており、時計１６が計時した時刻に応じてモードが管理されている。尚、器具制御部１２のモードの初期設定は、センサ付き送信器２からの送信信号で行っても良い。
一方、センサ付き制御部２のリモコン制御部２４には２４時間をカウントする計時手段たるタイマ２５が設けられており、タイマ２５は予め設定された時刻（所定のタイミング）がくるとタイマ信号を出力する。そして、タイマ２５がタイマ信号を出力すると、リモコン制御部２４は送信部２６から照明器具１へ統一信号を送信させる。ここで、統一信号とは、照明器具１のモードを所定のセンサモードに切り替えて、照明器具１のモードとセンサ付き送信器２のモードとを一致させるための信号である。
【００２０】
この照明制御装置の動作を図２のタイムチャートを参照して説明する。ここで、センサ付き送信器２は、タイマ２５の計時が午後１０時になると統一信号を送信するように予め設定されている。また、器具制御部１２は統一信号を受信すると、照明器具２のモードを時間に応じて予め設定されたセンサモードに切り替えている。
【００２１】
午後１０時までは、照明器具１は例えば連続点灯モードで動作し、照明負荷１９が連続的に点灯されている。午後１０時（時刻ｔ1 ）になると、リモコン制御部２４がタイマ２５のタイマ信号に基づいて送信部２６から照明器具１へ統一信号を送信する。照明器具１では、受信部１１が統一信号を受信すると、器具制御部１２は、受信部１１を介して入力された統一信号に基づいて、連続点灯モードから時間に応じて予め器具制御部１２に設定されているセンサモード、例えば、深夜モード（センサモードの一つ、センサ付き送信器２の送信信号を受信すると照明負荷１９を一定時間調光点灯させるようなセンサモード）にモードを切り替えて、以後深夜モードで動作する。そして、時刻ｔ2 ，ｔ3 で人感センサ部２１が人を検知して、センサ付き送信器２から照明器具１へ点灯信号（送信信号）が送信されると、器具制御部１２が受信部１１を介して入力された点灯信号に基づいて照明負荷１９を一定時間調光点灯させる。
【００２２】
このように、センサ付き送信器２から統一信号が送信された時点で、器具制御部１２が深夜モードで動作していれば、器具制御部１２は深夜モードのままで継続して動作し、器具制御部１２が深夜モード以外のモードで動作していれば、器具制御部１２はモードを深夜モードに強制的に切り替えて動作するので、所定の時間がくると、照明器具１のモードを予め設定されたセンサモードに切り替えることによって、照明器具１とセンサ付き送信器２とを共にセンサモードで動作させることができ、両者のモードが一致する。したがって、照明器具１とセンサ付き送信器２のモードが一致しなくなっても、所定の時間になると両者のモードが自動的に統一されるので、照明制御装置の使い勝手が向上する。
【００２３】
尚、センサ付き送信器２の内部電源２７を投入した際に、内部電源２７の電源電圧が所定の駆動電圧に達した時点で、リモコン制御部２４が上述の統一信号を送信するようにしても良い。
また、センサ付き送信器２は１台でも良いし、センサ付き送信器２を複数台設けても良い。
【００２４】
（実施形態２）
本実施形態では、実施形態１の照明制御装置において、センサ付き送信器に周囲の照度を検出する照度センサ部を設け、照度センサ部が検出した照度レベル信号が所定のしきい値よりも明るくなると、センサ付き送信器が照明器具へ統一信号を送信する。
【００２５】
センサ付き送信器２は、図３に示すように、周囲の照度に応じた信号を出力する例えばＣｄＳセルなどからなる照度センサ２９と、照度センサ２９の検知信号を増幅する増幅部３０とから構成される照度センサ部２８を備えている。尚、照度センサ部２８以外の構成は実施形態１の照明制御装置と同様であるので、その説明は省略する。
【００２６】
この照明制御装置の動作を図４のタイムチャートを参照して説明する。ここで、リモコン制御部２４には照度のしきい値Ｌ0 （かなり暗い照度）が予め設定されている。
時刻ｔ4 以前では、照度センサ部２８が検知した照度レベル信号Ｌが所定のしきい値Ｌ0 よりも明るいので、センサ付き送信器２は照明器具１に統一信号を送信せず、照明器具１は例えば連続点灯モードで動作し、照明負荷１９を点灯させている。
【００２７】
その後、時刻ｔ4 で照度センサ部２８の照度レベル信号Ｌが所定のしきい値Ｌ0 を下回ると、リモコン制御部２４は送信部２６から照明器具１へ統一信号を送信させる。照明器具１では、受信部１１が統一信号を受信すると、器具制御部１２が、受信部１１を介して入力された統一信号に基づいて、連続点灯モードから時間に応じて予め設定されているセンサモード、例えば深夜モードに移行し、時刻ｔ5 ，ｔ6 で人感センサ部２１が人を検知してセンサ付き送信器２から照明器具１に点灯信号が送信されると、器具制御部１２が受信部１１を介して入力された点灯信号に基づいて照明負荷１９を調光点灯させる負荷制御信号を出力し、負荷制御部１８が制御部１８の負荷制御信号に基づいて照明負荷１９を一定時間調光点灯させる。
【００２８】
ところで、実施形態１では、リモコン制御部２４がタイマ２５のタイマ信号に基づいて統一信号を出力し、本実施形態では、リモコン制御部２４が照度センサ部２８の照度レベル信号Ｌに基づいて統一信号を出力しているが、リモコン制御部２４がタイマ２５のタイマ信号と照度センサ部２８の照度レベル信号Ｌとに基づいて統一信号を出力するようにしても良い。ここで、センサ付き送信器２には、統一信号を送信する時刻（例えば、午後１０時）及び照度のしきい値Ｌ0 が予め設定されており、午後１０時以降に照度センサ部２８の照度レベル信号Ｌがしきい値Ｌ0 を下回ると、センサ付き送信器２は統一信号を送信する。
【００２９】
図５に示すように、時刻ｔ1 （午後１０時）になると、タイマ２５がタイマ信号を発生するが、この時点では照度センサ部２８の照度レベル信号Ｌがしきい値Ｌ0 を上回っているので、リモコン制御部２４は統一信号を発生せず、照度センサ部２８の照度レベル信号Ｌがしきい値Ｌ0 を下回った時刻ｔ7 で、リモコン制御部２４は統一信号を発生し、送信部２６が統一信号を照明器具１へ送信する。
【００３０】
したがって、リモコン制御部２４に設定されている時刻ｔ1 を過ぎても、照度センサ部２８の照度レベル信号Ｌがしきい値Ｌ0 よりも明るい場合は、センサ付き送信器２が照明器具１へ統一信号を送信せず、器具制御部１２は時刻ｔ7 まで連続点灯モードで動作し、照明負荷１９を点灯させている。そして、時刻ｔ7 で器具制御部１２に受信部１１を介して統一信号が入力されると、器具制御部１２は連続点灯モードから時間に応じて予め設定されているセンサモード（例えば、深夜モード）に強制的に切り替えられる。その後、時刻ｔ8 ，ｔ9 でセンサ付き送信器２が点灯信号を送信すると、照明器具１では器具制御部１２が点灯信号に基づいて照明負荷１９を一定時間調光点灯する。
【００３１】
尚、本実施形態では、照度センサ部２８が検出した照度レベル信号Ｌが所定のしきい値Ｌ0 を下回ると、センサ付き送信器２が統一信号を送信していたが、照度レベル信号Ｌが所定のしきい値Ｌ0 になると、センサ付き送信器２が統一信号を送信するようにしても良いし、照度レベル信号Ｌが所定のしきい値Ｌ0 を上回ると、センサ付き送信器２が統一信号を送信するようにしても良い。
【００３２】
また、センサ付き送信器２は１台でも良いし、センサ付き送信器２を複数台設けても良い。
尚、センサ付き送信器２の内部電源２７を投入した際に、内部電源２７の電源電圧が所定の駆動電圧に達した時点で、リモコン制御部２４が上述の統一信号を送信するようにしても良い。
【００３３】
（実施形態３）
本実施形態の照明制御装置は、図６に示すように、実施形態２の照明制御装置において、器具制御部１２の時計１６の代わりに、センサ付き送信器２のリモコン制御部２４に時刻を計時する時計３１を設けている。尚、時計３１以外の構成は、実施形態１又は２の照明制御装置と同様であるので、その説明は省略する。
【００３４】
実施形態１又は２の照明制御装置では、照明器具１に設けられた時計１６の計時によって器具制御部１２のモードが切り替わっていたが、本実施形態の照明制御装置では、センサ付き送信器２に１日の各時間帯におけるモードが設定されており、時計３１によって計時された時刻がモードの切り替わる時間になると、その時点におけるモードに照明器具１のモードを切り替える統一信号を、センサ付き送信器２が照明器具１へ送信する。尚、センサ付き送信器２に予め設定されているモードは、各時間帯において適切な照明光が得られるようなモードに設定されている。
【００３５】
この照明制御装置の動作を図７のタイムチャートに基づいて説明する。
リモコン制御部２４に設定されたモードが、時刻ｔ10（例えば、午後１０時）まではセンサモードの一つである活動モード、時刻ｔ10以降は深夜モードの場合、時計３１の計時した時刻が午後１０時になると、リモコン制御部２４に予め設定されているモードが活動モードから深夜モードに切り替わり、リモコン制御部２４は送信部２６から照明器具１へ統一信号を送信させる。
【００３６】
一方、照明器具１は、時刻ｔ10まで連続点灯モードで動作しており、照明負荷１９を点灯させているが、時刻ｔ10で受信部１１がセンサ付き送信器２からの統一信号を受信すると、器具制御部１２は、受信部１１を介して入力された統一信号に基づいて、連続点灯モードからセンサ付き送信器２に予め設定されている深夜モードに移行し、照明負荷１９を消灯させる負荷制御信号を発生し、負荷制御部１８が器具制御部１２の負荷制御信号に基づいて照明負荷１９を消灯させ、センサ付き送信器２からの送信信号の受信待ち状態となる。
【００３７】
その後、時刻ｔ11，ｔ12で、人感センサ部２１が人を検知してセンサ付き送信器２が点灯信号を送信すると、器具制御部１２は、受信部１１を介して入力された点灯信号に基づいて、照明負荷１９を調光点灯させる負荷制御信号を出力し、負荷制御部１８が制御部１２の負荷制御信号に基づいて照明負荷１９を調光点灯する。
【００３８】
このように、リモコン制御部２４に各時間帯におけるモードが予め設定されており、時計３１の時刻がモードの切り替わる時間になると、リモコン制御部２４が送信部２６から照明器具１へ統一信号を送信させることにより、器具制御部１２のモードをリモコン制御部２４に設定されているモードに強制的に切り替えることができ、照明器具１のモードとセンサ付き送信器２のモードを一致させることができる。
【００３９】
ところで、本実施形態では、時計３１の計時した時刻が、リモコン制御部２４に予め設定されているモードの切り替わる時間になると、リモコン制御部２４が統一信号を発生していたが、リモコン制御部２４が、時計３１の時刻と照度センサ部２８の照度レベル信号Ｌとに基づいて、統一信号を発生するようにしても良い。ここで、リモコン制御部２４に予めモード（午後１０時までは活動モード、午後１０時以降は深夜モード）が設定され、リモコン制御部２４にモードの切り替わる時刻（午後１０時）と照度のしきい値Ｌ0 とが設定されている場合、午後１０時以降で、且つ、周囲の照度がしきい値Ｌ0 よりも暗くなると、センサ付き送信器２が照明器具１に統一信号を送信する。
【００４０】
この場合の照明制御装置の動作を図８を参照して説明する。
上述のようにリモコン制御部２４には、時刻ｔ13（午後１０時）までは活動モード、時刻ｔ13以降は深夜モードというようにモードが予め設定されている。ここで、タイマ２５の計時が時刻ｔ13になっても、照度センサ部２８の照度レベル信号Ｌがしきい値Ｌ0 よりも明るいので、リモコン制御部２４は統一信号を発生せず、この時点でセンサ付き送信器２から照明器具１に統一信号が送信されることはない。その後、時刻ｔ14になると、照度センサ部２８の照度レベル信号Ｌがしきい値Ｌ0 よりも暗くなるので、リモコン制御部２４が統一信号を発生し、送信部２６が統一信号を照明器具１へ送信する。
【００４１】
一方、照明器具１は、時刻ｔ14まで連続点灯モードで動作しており、照明負荷１９を点灯させているが、時刻ｔ14で受信部１１がセンサ付き送信器２からの統一信号を受信すると、器具制御部１２は、受信部１１を介して入力された統一信号に基づいて、連続点灯モードからセンサ付き送信器２に予め設定されている深夜モードに移行し、照明負荷１９を消灯させる負荷制御信号を発生し、負荷制御部１８が器具制御部１２の負荷制御信号に基づいて照明負荷１９を消灯させ、センサ付き送信器２からの送信信号の受信待ち状態となる。
【００４２】
その後、時刻ｔ15，ｔ16で、人感センサ部２１が人を検知してセンサ付き送信器２が点灯信号を送信すると、器具制御部１２は、受信部１１を介して入力された点灯信号に基づいて、照明負荷１９を調光点灯させる負荷制御信号を出力し、負荷制御部１８が制御部１２の負荷制御信号に基づいて照明負荷１９を調光点灯する。
【００４３】
このように、リモコン制御部２４に各時間帯におけるモードが予め設定されており、時計３１の時刻がモードの切り替わる時間になり、且つ、照度センサ部２８の検知した照度が所定のしきい値よりも暗くなると、リモコン制御部２４が送信部２６から照明器具１へ統一信号を送信させることにより、器具制御部１２のモードをリモコン制御部２４に設定されているモードに強制的に切り替えることができ、照明器具１のモードとセンサ付き送信器２のモードを一致させることができる。
【００４４】
尚、センサ付き送信器２の内部電源２７を投入した際に、内部電源２７の電源電圧が所定の駆動電圧に達した時点で、リモコン制御部２４が上述の統一信号を送信するようにしても良い。
また、センサ付き送信器２は１台でも良いし、センサ付き送信器２を複数台設けても良い。
【００４５】
（実施形態４）
実施形態１乃至３の照明制御装置では、センサ付き送信器２は、所定のタイミング（時刻や照度）で、両者のモードを一致させる統一信号を送信していたが、本実施形態の照明制御装置では、所定のタイミングがくると、センサ付き送信器２が照明器具１へ疑似点灯信号を送信する。ここで、疑似点灯信号とは、器具制御部１２にこの疑似点灯信号が入力されると、点灯信号（人感センサ部２８の検知時にセンサ付き送信器２から入力される信号）が入力された時と同様の動作を器具制御部１２が行った後、所定のセンサモードに移行するような信号のことをいう。尚、照明制御装置の構成は実施形態１乃至３と同様であるので、その説明は省略する。
【００４６】
以下、この照明制御装置の動作をタイムチャートを参照して説明する。
まず、図９（ａ）に示すように、センサ付き送信器２が照明器具１へ照明負荷１９を点灯させる点灯信号のみを送信し、照明器具１はセンサ付き送信器２の点灯信号を受信すると、照明負荷１９を一定時間点灯させる場合について説明する。
【００４７】
時刻ｔ17において、リモコン制御部２４が送信部２６から照明器具１に疑似点灯信号Ｓ4 を送信すると、リモコン制御部２４は、点灯信号の送信をまびくための送信マスクタイマ（図示せず）に一定時間Ｔ1 を限時させる。そして、送信マスクタイマが一定時間Ｔ1 の限時動作を終了するまでに、人感センサ部２４が人を検知して人体検知信号を発生すると、送信マスクタイマが限時動作を終了した時点で、リモコン制御部２４は送信部２６から照明器具１へ点灯信号を送信し、再び送信マスクタイマに一定時間Ｔ1 の限時動作を開始させる。このように、送信マスクタイマの限時動作中は人感センサ部２１が人体検知信号を発生しても、リモコン制御部２４が送信部２６に点灯信号を送信させないので、点灯信号の送信をまびくことができる。
【００４８】
一方、照明器具１では、時刻ｔ17において、受信部１１がセンサ付き送信器２からの疑似点灯信号Ｓ4 を受信し、器具制御部１２に受信部１１を介して疑似点灯信号Ｓ4 が入力されると、照明負荷１９を点灯させる負荷制御信号を発生させるとともに、点灯保持時間Ｔ2 を限時する点灯保持タイマ（図示せず）の限時動作を開始させ、負荷制御部１８が負荷制御信号に基づいて照明負荷１９を点灯させる。そして、点灯保持タイマが点灯保持時間Ｔ2 の限時動作を終了するまでに、器具制御部１２に受信部１１を介してセンサ付き送信器２からの点灯信号が入力されると、器具制御部１２は点灯保持タイマをリセットし、再び点灯保持時間Ｔ2 の限時動作を開始させる。そして、点灯保持タイマが点灯保持時間Ｔ2 の限時動作が終了する時刻ｔ18までの間、負荷制御部１８が負荷制御信号に基づいて照明負荷１９を点灯させる。
【００４９】
次に、図９（ｂ）に示すように、センサ付き送信器２が照明器具１へ照明負荷１９を点灯させる点灯信号と照明負荷１９を消灯させる消灯信号とを送信する場合について説明する。
時刻ｔ19において、リモコン制御部２４が送信部２６から照明器具１に疑似点灯信号Ｓ4 を送信すると、リモコン制御部２４は、点灯保持時間Ｔ3 を限時する点灯保持タイマ（図示せず）の限時動作を開始させるとともに、点灯信号の送信をまびくための送信マスクタイマ（図示せず）に一定時間Ｔ4 の限時動作を開始させる。そして、点灯保持タイマの限時動作が終了するまでに、人感センサ部２１が人を検知して人体検知信号を発生すると、リモコン制御部２４が点灯保持タイマをリセットして、再び点灯保持時間Ｔ3 の限時動作を開始させる。そして、点灯保持タイマが限時動作を終了した時刻ｔ20において、リモコン制御部２４は送信部２６から照明器具１へ消灯信号を送信させる。
【００５０】
一方、照明器具１では、時刻ｔ19において、器具制御部１２に受信部１１を介して点灯信号が入力されると、器具制御部１２は照明負荷１９を点灯させる負荷制御信号を発生するとともに、保証タイマ（図示せず）に時間Ｔ4 よりも長い一定時間の限時動作を開始させ、負荷制御部１８が負荷制御信号に基づいて照明負荷１９を点灯し、時刻ｔ20において、器具制御部１２に受信部１１を介して消灯信号が入力されると、器具制御部１２は照明負荷１９を消灯させる負荷制御信号を発生し、負荷制御部１８が負荷制御信号に基づいて照明負荷１９を消灯する。尚、器具制御部１２は、受信部１１を介してセンサ付き送信器２からの消灯信号を受信することができなくても、保証タイマの限時動作が終了した時点で照明負荷１９を消灯させる負荷制御信号を発生し、負荷制御部１８が照明負荷１９を消灯させているので、照明負荷１９が点灯しっぱなしになることはない。
【００５１】
このように、本実施形態の照明制御装置では、センサ付き送信器２から疑似点灯信号が入力されると、器具制御部１２は、点灯信号を受信した時と同様の動作を行い、照明負荷１９を一定時間点灯させた後、そのままセンサモードに移行しているので、照明器具１とセンサ付き送信器２のモードを一致させることができる。
【００５２】
尚、センサ付き送信器２が疑似点灯信号を送信するタイミングは、リモコン制御部２４に予め設定された時刻でも良いし、照度でも良いし、時刻と照度とを組み合わせても良い。また、センサ付き送信器２の内部電源２７を投入した際に、内部電源２７の電源電圧が所定の駆動電圧に達した時点で、リモコン制御部２１が疑似点灯信号を送信するようにしても良い。
【００５３】
また、センサ付き送信器２は１台でも良いし、センサ付き送信器２を複数台設けても良い。
（実施形態５）
ところで、図１０（ａ）（ｂ）に示すように、センサ付き送信器２の内部電源２７が消耗すると、内部電源２７の電源電圧が振動し（図１０のＡ）、電源電圧の変動によって人感センサ部２１が誤検知して、リモコン制御部２４が送信部２６から点灯信号Ｓ2 を送信させ、その後消灯信号Ｓ1 を送信させるというような現象が発生する。
【００５４】
そこで、リモコン制御部２１は、送信部２６から送信される消灯信号Ｓ1 と点灯信号Ｓ2 との送信間隔Ｔ5 が短く、一定の周期で送信を繰り返すような状況になった場合、内部電源２７が寿命末期であると判断し、送信部２６から照明器具１へ照明負荷１９を強制的に消灯させる負荷連続動作信号Ｓ3 を送信させる。
照明器具１では、器具制御部１２に受信部１１を介して負荷連続動作信号Ｓ3 が入力されると、照明負荷１９を強制的に消灯させる負荷制御信号を発生し、負荷制御部１８が照明負荷１９を消灯させる。
【００５５】
この時、リモコン制御部２４は負荷連続動作信号Ｓ3 を送信すると、以後送信部２６から送信信号を送信しないモードとなり、器具制御部１２は受信部１１を介して負荷連続動作信号Ｓ3 を受信すると、以後受信部１１から送信信号を受け付けないモードとなるので、照明器具１とセンサ付き送信器２のモードを一致させることができる。また、使用者は、照明負荷１９が消灯しっぱなしになることから、照明制御装置の異常を知ることができる。
【００５６】
また、内部電源２７の投入直後に、センサ付き送信器２から照明器具１へ負荷連続動作信号Ｓ3 を送信して、照明器具１に照明負荷１９を一定時間消灯させ、各部の動作が安定するまで一定期間、送信部２６からの送信を停止するとともに、受信部１１からの受信を停止しても良く、電源投入直後の動作が不安定な期間に、センサ付き送信器２や照明器具１が誤動作するのを防止することができる。
【００５７】
尚、負荷連続動作信号Ｓ3 は照明負荷１９を強制的に点灯させるような信号であっても良い。
【００５８】
【発明の効果】
請求項１の発明は、上述のように、人の存否を検知する人感センサ部、外部へワイヤレス信号を送信する送信部、人感センサ部の検知信号に基づいて送信部からワイヤレス信号にて送信信号を送信させるリモコン制御部、及び各部に動作電源を供給する内部電源からなるセンサ付き送信器と、外部よりワイヤレス信号にて送信された送信信号を受信する受信部、及び受信部を介して入力された送信信号に基づいて照明負荷の点灯状態を制御する器具制御部からなる照明器具とを備え、リモコン制御部および器具制御部の動作モードとして、照明負荷を連続的に全点灯させる連続点灯モードと、送信信号が入力されると照明負荷を一定時間点灯させるセンサモードとが設けられ、リモコン制御部では、所定のタイミングで器具制御部の動作モードをリモコン制御部の動作モードに一致させるための信号を送信部から送信させ、この信号を受信部が受信すると、器具制御部は動作モードを切り替えてリモコン制御部の動作モードに一致させているので、センサ付き送信器と照明器具のモードとが一致しなくなっても、所定のタイミングで両者のモードが統一されるので、照明制御装置の使い勝手が向上するという効果がある。
【００５９】
請求項２の発明は、上記所定のタイミングとは予め設定された時刻であり、センサ付き送信器に時刻を計時する計時手段を設け、計時手段の計時が予め設定された時刻になると、センサ付き送信器が照明器具へモードを一致させる信号を送信しているので、両者のモードが一致しなくなっても、所定の時間がくると両者のモードが必ず一致するという効果がある。
【００６０】
請求項３の発明は、上記所定のタイミングとは周囲の照度が予め設定された照度になった時点であり、センサ付き送信器に周囲の照度を検知する照度センサ部を設け、照度センサ部の検知した照度が設定された照度になると、センサ付き送信器が照明器具へモードを一致させる信号を送信しているので、両者のモードが一致しなくなっても、周囲の照度が所定の照度になると両者のモードが必ず一致するという効果がある。
【００６１】
請求項４の発明は、上記所定のタイミングとは予め設定された時刻及び周囲の照度が予め設定された照度になった時点であり、センサ付き送信器に時刻を計時する計時手段と周囲の照度を検知する照度センサ部とを設け、計時手段の計時が予め設定された時刻になり、且つ、照度センサ部の検知した照度が予め設定された照度になると、センサ付き送信器が照明器具へモードを一致させる信号を送信しているので、両者のモードが一致しなくなっても、所定の時間がくるか、又は、周囲の照度が所定の照度になると両者のモードが必ず一致するという効果がある。
請求項５の発明は、上記所定のタイミングとは内部電源投入時であり、内部電源が投入されると、センサ付き送信器が照明器具へモードを一致させる信号を送信しており、電源投入時に両者のモードが必ず一致するので、両者の初期状態（モード）を一致させることができるという効果がある。
【００６２】
請求項６の発明は、上記所定のタイミングとは内部電源の寿命末期時であり、内部電源が寿命末期になると、センサ付き送信器が照明器具へモードを一致させる信号を送信しているので、両者のモードが一致するという効果がある。
【図面の簡単な説明】
【図１】実施形態１の照明制御装置を示すブロック図である。
【図２】同上の動作を説明するタイムチャートである。
【図３】実施形態２の照明制御装置を示すブロック図である。
【図４】同上の動作を説明するタイムチャートである。
【図５】同上の別の動作を説明するタイムチャートである。
【図６】実施形態３の照明制御装置を示すブロック図である。
【図７】同上の動作を説明するタイムチャートである。
【図８】実施形態３の照明制御装置の動作を説明するタイムチャートである。
【図９】実施形態４の照明制御装置の動作を説明するタイムチャートである。
【図１０】実施形態５の照明制御装置の動作を説明するタイムチャートである。
【符号の説明】
１    照明器具
２    センサ付き送信器
１１  受信部
１２  器具制御部
１８  負荷制御部
１９  照明負荷
２１  人感センサ部
２４  リモコン制御部
２５  タイマ
２６  送信部
【図１】
0003817839.tif 000002
【図２】
0003817839.tif 000003
【図３】
0003817839.tif 000004
【図４】
0003817839.tif 000005
【図５】
0003817839.tif 000006
【図６】
0003817839.tif 000007
【図７】
0003817839.tif 000008
【図８】
0003817839.tif 000009
【図９】
0003817839.tif 000010
【図１０】
0003817839.tif 000011